(57)【特許請求の範囲】
【請求項１】
同期機を起動させるサイリスタ起動装置であって、
交流電力を直流電力に変換するコンバータと、
前記直流電力を平滑化する直流リアクトルと、
前記コンバータから前記直流リアクトルを介して与えられる前記直流電力を可変周波数の交流電力に変換して前記同期機に供給するインバータと、
位相制御角に基づいて前記インバータを制御するように構成された制御部と、
前記同期機に界磁電流を供給することにより前記同期機の誘起電圧を調整するように構成された電圧調整装置とを備え、
前記同期機の加速中に前記同期機の回転速度が基準回転速度を超えると、
前記電圧調整装置は、前記同期機の回転速度の上昇に従って前記誘起電圧が増加するように前記界磁電流を制御し、かつ、
前記制御部は、前記同期機の回転速度が前記基準回転速度未満のときと比較して、前記同期機の回転速度に対する前記位相制御角の増加率を減少させ、
前記制御部はさらに、前記同期機の回転速度が変化しても前記インバータの入力端子に現れる直流電圧が一定になるように、前記同期機の回転速度に応じて前記位相制御角を設定し、かつ、
前記制御部は、前記同期機の回転速度が変化しても前記インバータにおけるサイリスタの転流余裕時間が前記サイリスタのターンオフ時間よりも長くなるように、前記同期機の回転速度に応じて前記位相制御角を設定する、サイリスタ起動装置。
【請求項２】
前記同期機の加速中に前記同期機の回転速度が前記基準回転速度を超えると、前記制御部は、前記同期機の端子電圧と前記同期機の実効位相制御進み角の余弦関数（コサイン）との積が一定値となるように、前記同期機の端子電圧に基づいて前記位相制御角を設定する、請求項１に記載のサイリスタ起動装置。
【発明の詳細な説明】
【技術分野】
【０００１】
この発明は、サイリスタ起動装置に関する。
【背景技術】
【０００２】
発電機および電動機等の同期機を起動するためのサイリスタ起動装置が開発されている（例えば国際公開第２０１４／０３３８４９号（特許文献１）参照）。サイリスタ起動装置は、交流電力を直流電力に変換するコンバータと、直流電力を平滑化する直流リアクトルと、コンバータから直流リアクトルを介して与えられる直流電力を可変周波数の交流電力に変換して同期機に供給するインバータとを備えている。同期機に供給する交流電力を制御することにより、停止状態の同期機を起動させて所定の回転速度で駆動させることができる。
【先行技術文献】
【特許文献】
【０００３】
【特許文献１】国際公開第２０１４／０３３８４９号
【発明の概要】
【発明が解決しようとする課題】
【０００４】
上記サイリスタ起動装置において、インバータは少なくとも６個のサイリスタを有している。同期機の回転に同期して６個のサイリスタを２個ずつ順序よく点弧させることにより、インバータは同期機に三相交流電力を供給して同期機の回転速度を上昇させることができる。【０００５】
しかしながら、実際には、同期機のインダクタンスに起因して、サイリスタの転流は瞬時には行なわれず、電流の重なり期間が存在する。したがって、サイリスタの逆バイアス期間は、制御進み角と転流重なり角との差となる。転流を確実にするためには、サイリスタの逆バイアス期間がサイリスタのターンオフ時間に相当する角度よりも長いことが必要である。制御進み角と転流重なり角との差は転流余裕角とも呼ばれ、転流余裕角に対応する期間は転流余裕時間とも呼ばれる。【０００６】
上記サイリスタ起動装置では、同期機の回転速度が上昇するに従って、転流余裕時間が短くなる。そのため、同期機の高回転速度領域において、サイリスタの転流が失敗することが懸念される。【０００７】
この発明は、上記のような課題を解決するためになされたものであり、その目的は、同期機を起動させるサイリスタ起動装置において、同期機の高回転速度領域でのサイリスタの転流を確実に行なうことである。
【課題を解決するための手段】
【０００８】
この発明のある局面によれば、同期機を起動させるサイリスタ起動装置は、コンバータ、直流リアクトル、インバータ、制御部および電圧調整装置を備える。コンバータは、交流電力を直流電力に変換する。直流リアクトルは、直流電力を平滑化する。インバータは、コンバータから直流リアクトルを介して与えられる直流電力を可変周波数の交流電力に変換して同期機に供給する。制御部は、位相制御角に基づいてインバータを制御するように構成される。電圧調整装置は、同期機に界磁電流を供給することにより同期機の誘起電圧を調整するように構成される。同期機の加速中に同期機の回転速度が基準回転速度を超えると、電圧調整装置は、同期機の回転速度の上昇に従って誘起電圧が増加するように界磁電流を制御する。制御部は、同期機の回転速度が基準回転速度未満のときと比較して、同期機の回転速度に対する位相制御角の増加率を減少させる。
【発明の効果】
【０００９】
この発明によれば、同期機を起動させるサイリスタ起動装置において、同期機の高回転速度領域でのサイリスタの転流を確実に行なうことができる。
【図面の簡単な説明】
【００１０】
【図１】本発明の実施の形態に係るサイリスタ起動装置の概略構成図である。
【図２】インバータの転流動作を模式的に示すタイムチャートである。
【図３】サイリスタ起動装置の基本動作を示すタイムチャートである。
【図４】インバータおよび同期機の主回路構成図である。
【図５】サイリスタ起動装置および同期機のベクトル図である。
【図６】本実施の形態に従うサイリスタ起動装置の動作を示すタイムチャートである。
【図７】同期機の回転速度と界磁電流との関係を示す図である。
【図８】同期機の回転速度と設定制御進み角との関係を示す図である。
【発明を実施するための形態】
【００１１】
以下、本発明の実施の形態について図面を参照しながら詳細に説明する。なお、図中の同一または相当部分には同一符号を付してその説明は繰返さない。
【００１２】
図１は、本発明の実施の形態に係るサイリスタ起動装置の概略構成図である。
図１を参照して、サイリスタ起動装置１００は、停止している同期機２０を同期速度まで加速し、同期機電圧と同期機２０が接続される系統の電圧との同期状態を判定して同期機２０を電力系統に併入するものである。併入と同時に、サイリスタ起動装置１００は同期機２０から切り離される。サイリスタ起動装置１００は、静止形周波数変換装置（ＳＦＣ：Static  Frequency  Converter）とも呼ばれる。加速中のサイリスタ起動装置１００は、同期機２０の逆起電力を利用してサイリスタに流れる電流を転流する他励式インバータによる可変速駆動装置として動作する。
【００１３】
同期機２０は、電機子巻線ＡＴＵ，ＡＴＶ，ＡＴＷを有する固定子と、界磁巻線２２とを有する。図１の例では、同期機２０は、例えば火力発電所のガスタービンＧＴに結合されており、ガスタービンＧＴによって回転駆動される。
【００１４】
サイリスタ起動装置１００は、変圧器ＴＲの二次側に接続されている。変圧器ＴＲの一次側は交流電源３０に接続されている。変圧器ＴＲは、交流電源３０から供給される三相交流電圧を所定の電圧値の三相交流電圧を所定の電圧値の三相交流電圧に変換してサイリスタ起動装置１００に与える。
【００１５】
サイリスタ起動装置１００は、コンバータ１、直流リアクトル３、インバータ２、およびＡＶＲ（自動電圧調整装置）２１を備える。コンバータ１は、少なくとも６個のサイリスタを有する三相全波整流器であり、変圧器ＴＲからの三相交流電力を可変電圧の直流電力に変換する。
【００１６】
直流リアクトル３は、コンバータ１の正側出力端子１ａとインバータ２の正側入力端子２ａとの間に接続される。直流リアクトル３は、コンバータ１の直流出力電流Ｉｄを平滑化する。コンバータ１の負側出力端子１ｂとインバータ２の負側入力端子２ｂとは互いに接続される。なお、もう１つの直流リアクトルが、コンバータ１の負側出力端子１ｂとインバータ２の負側入力端子２ｂとの間に接続されていてもよい。
【００１７】
インバータ２の３つの出力端子２ｃ，２ｄ，２ｅは、同期機２０の３つの電機子巻線ＡＴＵ，ＡＴＶ，ＡＴＷにそれぞれ接続される。インバータ２は、少なくとも６個のサイリスタＵ，Ｖ，Ｗ，Ｘ，Ｙ，Ｚを有する三相他励式インバータである。インバータ２は、コンバータ１から直流リアクトル３を介して与えられた直流電力を可変周波数の交流電力に変換して同期機２０に供給する。
【００１８】
ＡＶＲ２１は、同期機２０の界磁巻線２２に界磁電流Ｉｆを供給する。ＡＶＲ２１は、同期機２０の出力する交流電圧がガスタービンの回転速度に関係なく一定に保たれるように、界磁巻線２２に供給する界磁電流Ｉｆを制御する。界磁巻線２２に界磁電流Ｉｆが供給されている状態において、インバータ２から電機子巻線ＡＴＵ，ＡＴＶ，ＡＴＶに交流電力を供給することにより、同期機２０の回転が加速される。ＡＶＲ２１は「電圧調整装置」の一実施例に対応する。
【００１９】
サイリスタ起動装置１００は、さらに、変流器４，５、電圧検出器６、位置検出器７、電流検出器９、インバータ制御部１０、およびコンバータ制御部１３をさらに備える。
【００２０】
変流器４は、変圧器ＴＲからコンバータ１に流れる三相交流電流を検出し、検出値を示す信号を電流検出器９に与える。電流検出器９は、変流器４からの信号に基づいて、コンバータ１から出力される直流電流Ｉｄを演算し、その演算値を示す信号をコンバータ制御部１３に与える。具体的には、電流検出器９は、全波整流型のダイオード整流器を有しており、検出された三相交流電流を直流電流Ｉｄに変換する。
【００２１】
変流器５は、インバータ２から同期機２０の電機子巻線ＡＴＵ，ＡＴＶ，ＡＴＷに流れる電流を検出し、検出値を示す信号を位置検出器７に与える。
【００２２】
電圧検出器６は、インバータ２から同期機２０に供給される三相交流電圧Ｖｕ，Ｖｖ，Ｖｗの瞬時値を検出し、検出値を示す信号を位置検出器７に与える。具体的には、電圧検出器６は、同期機２０の電機子巻線ＡＴＵ，ＡＴＶ，ＡＴＷにおける三相交流電圧の線間電圧のうちの２つの線間電圧（図１では、Ｕ相−Ｖ相間の交流電圧Ｖｕ−ｖおよびＶ相−Ｗ相間の交流電圧Ｖｖ−ｗとする）を検出する。このように、Ｕ相−Ｖ相間の交流電圧Ｖｕ−ｖ、Ｖ相−Ｗ相間の交流電圧Ｖｖ−ｗおよびＷ相−Ｕ相間の交流電圧Ｖｗ−ｕのうちの少なくとも２つの線間電圧を検出することにより、Ｕ相、Ｖ相、Ｗ相の交流電圧を計算により求めることができる。この線間電圧から相電圧への変換は、電圧検出器６または位置検出器７において行なわれる。
【００２３】
位置検出器７は、変流器５および電圧検出器６からの信号に基づいて同期機２０の回転子の位置を検出し、検出値を示す信号をインバータ制御部１０およびコンバータ制御部１３に与える。
【００２４】
インバータ制御部１０は、位置検出器７からの信号に基づいて、インバータ２の点弧位相を制御する。具体的には、インバータ制御部１０は、制御角演算部１１と、ゲートパルス発生器１２とを含む。
【００２５】
制御角演算部１１は、検出された同期機２０の回転子の位置に基づいて位相制御角β０を演算し、演算した位相制御角β０をゲートパルス発生器１２に与える。具体的には、制御角演算部１１は、位置検出器７からの信号に基づいて同期機２０の回転速度を演算すると、演算した回転速度に基づいて位相制御角β０を設定する。同期機２０内部の誘起電圧に対してインバータ２の出力相電流の位相が進むように、位相制御角β０が設定される。
【００２６】
なお、実際の進み角βは相電流の増加とともに、位相制御角β０よりも小さくなる。以下の説明では、位相制御角β０を「設定制御進み角β０」とも称し、実際の進み角βを「実効制御進み角β」とも称する。なお、制御角演算部１１は、位置検出器７の代わりに、電圧検出器６からの信号に基づいて同期機２０の回転速度を演算してもよい。
【００２７】
ゲートパルス発生器１２は、制御角演算部１１から受けた設定制御進み角β０に基づいてインバータ２のサイリスタのゲートに与えるゲートパルス（点弧指令）を生成する。インバータ制御部１０は「制御部」の一実施例に対応する。
【００２８】
コンバータ制御部１３は、位置検出器７からの信号および電流検出器９からの信号に基づいて、コンバータ１の点弧位相を制御する。具体的には、コンバータ制御部１３は、コンバータ１から出力される直流電流Ｉｄが電流指令値Ｉｄ＊に一致するように、コンバータ１の点弧位相を制御する。
【００２９】
コンバータ制御部１３は、速度制御部１４と、電流制御部１５と、制御角演算部１６と、ゲートパルス発生器１７とを含む。速度制御部１４は、検出された同期機２０の回転子の位置に基づいて、同期機２０の回転速度を演算する。速度制御部１４は、演算した回転速度に基づいて、直流電流Ｉｄの目標値である電流指令値Ｉｄ＊を生成する。
【００３０】
電流制御部１５は、電流指令値Ｉｄ＊と直流電流Ｉｄとの偏差ΔＩｄを演算し、演算した偏差ΔＩｄに基づいて電圧指令値ＶＤＣ１＊を生成する。具体的には、電流制御部１５は、比例要素（Ｐ：proportional  element）、積分要素（Ｉ：integral  element）および加算部を含む。比例要素が偏差ΔＩｄに所定の比例ゲインを乗じて加算部へ出力し、積分要素は偏差ΔＩｄを所定の積分ゲインで積分して加算部へ出力する。加算部は、比例要素および積分要素からの出力を加算して電圧指令値ＶＤＣ１＊を生成する。電圧指令値ＶＤＣ１＊は、コンバータ１が出力すべき直流電圧ＶＤＣ１を規定する制御指令に相当する。
【００３１】
なお、コンバータ１は、インバータ２の入力端子側の直流電圧ＶＤＣ２よりも直流リアクトル３による電圧降下分だけ大きくなるように直流電圧ＶＤＣ１を制御する。これにより、直流電流Ｉｄが制御される。
【００３２】
制御角演算部１６は、電流制御部１５から与えられる電圧指令値ＶＤＣ１＊に基づいて、位相制御角αを演算する。制御角演算部１６は、演算した位相制御角αをゲートパルス発生器１７に与える。
【００３３】
ゲートパルス発生器１７は、制御角演算部１６から受けた位相制御角αに基づいてコンバータ１のサイリスタのゲートに与えるゲートパルス（点弧指令）を生成する。ゲートパルス発生器１７によって生成されたゲートパルスに従ってコンバータ１がスイッチング制御されることにより、電流指令値Ｉｄ＊に従った直流電流Ｉｄがコンバータ１から出力される。
【００３４】
次に、図２を用いて、インバータ２の転流動作について説明する。
図２は、インバータ２の転流動作を模式的に示すタイムチャートである。図２（Ａ）は、インバータ２に実際に流れる電流を示す回路図である。同期機２０は３相のインダクタンス成分Ｌｕ，Ｌｖ，Ｌｗを有している。図２（Ｂ）は、同期機２０の端子電圧（三相交流電圧）Ｖｕ，Ｖｖ，Ｖｗ、およびインバータ２の入力端子２ａ，２ｂ間に現れる直流電圧ＶＤＣ２を示している。図２（Ｃ）は、インバータ２に流れる電流ｉｗ，ｉｕを示している。図２（Ｄ）は、インバータ２の６個のサイリスタＵ，Ｖ，Ｗ，Ｘ，Ｙ，Ｚのうちの導通しているサイリスタを示している。
【００３５】
図２（Ｂ）において、線間電圧Ｖｕ−ｖ，Ｖｖ−ｗ，Ｖｗ−ｕが０Ｖとなる点が実効制御進み角βの基準点であり、基準点ではβ＝０°である。基準点から所望の角度だけ位相を進めた時刻で所定のサイリスタに点弧指令（ゲートパルス）を与える。例えば、サイリスタＵが導通している期間中にサイリスタＶにゲートパルスを与え、次に、サイリスタＶが導通している期間中にサイリスタＷにゲートパルスを与える。同様に、サイリスタＺが導通している期間中にサイリスタＸにゲートパルスを与え、次にサイリスタＸが導通している期間中にサイリスタＹにゲートパルスを与える。
【００３６】
導通するサイリスタの遷移に応じて、同期機２０の線間電圧Ｖｕ−ｖ，Ｖｖ−ｗ，Ｖｗ−ｕがインバータ２の入力端子２ａ，２ｂ間に直流電圧ＶＤＣ２として順次現れる。インバータ制御部１０は、同期機２０の回転に応じて、６個のサイリスタＵ，Ｖ，Ｗ，Ｘ，Ｙ，Ｚを２個ずつ順序良く点弧させて同期機２０に流れる電流の経路を制御することができる。
【００３７】
しかしながら、実際には、導通していたサイリスタがゲートパルスに応答して瞬時に消弧することはない。同期機２０のインダクタンス成分Ｌｕ，Ｌｖ，Ｌｗに起因して、有限の期間、直前まで導通しているサイリスタとこれから導通するサイリスタの両方が導通状態になる期間が生じる。この期間は「転流重なり時間」と呼ばれ、転流重なり時間に対応する角度は「転流重なり角ｕ」と呼ばれる。
【００３８】
図２（Ｂ）においては、ωｔ＜０でサイリスタＷ，Ｙが導通しているときに、ωｔ＝０でサイリスタＵにゲートパルスを与えても、同期機２０のインダクタンス成分Ｌｖ，Ｌｗの影響により、転流重なり期間中は両方のサイリスタＷ，Ｕが導通し続ける。したがって、サイリスタの逆バイアス期間は、次式（１）に示すように、実効制御進み角βと転流重なり角ｕとの差となる。
【００３９】
【数１】
0006933728.tif 000002
【００４０】
転流を確実にするためには、サイリスタの逆バイアス期間がサイリスタのターンオフ時間に相当する角度よりも長いことが必要である。このγは「転流余裕角」とも呼ばれ、転流余裕角に対応する期間は「転流余裕時間」とも呼ばれる。サイリスタのターンオフ時間をｔｏｆｆとすると、転流余裕角γはωｔｏｆｆ以上でなければならない。
【００４１】
次に、図３を用いて、サイリスタ起動装置１００の基本動作について説明する。
図３は、サイリスタ起動装置１００の基本動作を示すタイムチャートである。図３には、同期機２０の回転速度、同期機２０の端子電圧の実効値、界磁電流、設定制御進み角、およびインバータ２におけるサイリスタの転流余裕時間が示されている。
【００４２】
時刻ｔ１にてサイリスタ起動装置１００が起動すると、サイリスタ起動装置１００は、同期機２０を完全な停止状態から所定の回転速度Ｎａまで加速させる。
【００４３】
時刻ｔ１にて停止状態の同期機２０を起動させると、ＡＶＲ２１は、界磁巻線２２に一定の界磁電流Ｉｆを供給する（Ｉｆ＝Ｉｆ０）。一定の界磁電流Ｉｆにより同期機２０の回転子には一定の界磁磁束が発生する。この状態で同期機２０を加速させることにより、同期機２０内部で発生する誘起電圧の大きさ（実効値）は同期機２０の回転速度とともに増加する。
【００４４】
時刻ｔ２にて同期機２０の端子電圧の実効値が所定の電圧ＶＣに達すると、ＡＶＲ２１は、同期機２０の回転速度が一定の間、界磁巻線２２に供給する界磁電流Ｉｆを一定値に維持する。
【００４５】
なお、設定制御進み角β０は、同期機２０の回転速度が０から所定の回転速度Ｎａまでの間、回転速度の変化に関わらず一定値βａに維持されている。同期機２０の端子電圧の実効値は０ＶからＶＣまで線形に増大する。回転速度Ｎａは、例えば、ガスタービンＧＴの定格速度の２０％程度に設定される。
【００４６】
同期機２０の回転速度がＮａに達すると、時刻ｔ３にて、ガスタービンＧＴに燃料が投入され、ガスタービンＧＴが着火する。着火後、サイリスタ起動装置１００は、ガスタービンＧＴの昇速をアシストする。よって、同期機２０の回転速度は、時刻ｔ３以降加速を開始する。
【００４７】
時刻ｔ３以降、ＡＶＲ２１は、界磁巻線２２に供給する界磁電流Ｉｆを低下させる。これにより、同期機２０の端子電圧の実効値は、回転速度が変わっても一定の電圧ＶＣに保たれる。
【００４８】
同期機２０の回転速度がＮａから所定の回転速度Ｎｂまでの間、設定制御進み角β０は、最小値βａから最大値βｂまで、回転速度に応じて一定の増加率で線形に増大する。本願明細書において、設定制御進み角β０の増加率は、同期機２０の回転速度Ｎの増加分ΔＮに対する設定制御進み角β０の増加分Δβ０の比率（Δβ０／ΔＮ）を示す。
【００４９】
特許文献１に記載されるように、回転速度の増加に応じて設定制御進み角β０を一定の増加率で線形に増加させることで、回転速度の変化に関わらず設定制御進み角β０を一定とする構成に比べて、転流重なり期間における直流電圧ＶＤＣ２の上昇を抑えることができる。
【００５０】
なお、図示は省略するが、回転速度がＮｂを超えると、設定制御進み角β０は、最大値βｂに維持される。回転速度Ｎｂは、例えば、ガスタービンＧＴの定格速度の７０％程度に設定される。時刻ｔ４にて同期機２０の回転速度がＮｂに達すると、サイリスタ起動装置１００は同期機２０から切り離される。
【００５１】
サイリスタ起動装置１００による一連の動作において、転流余裕時間は、時刻ｔ１以降、転流重なり期間における上昇分の影響により、同期機２０の回転速度に応じて徐々に短くなる。特に、時刻ｔ３にて同期機２０の加速を開始すると、同期機２０の回転速度の上昇に従って、転流余裕時間が短くなる。
【００５２】
転流余裕時間には、サイリスタが転流不能となる閾値時間Ｔｔｈが存在する。この閾値時間Ｔｔｈは、サイリスタのターンオフ時間ｔｏｆｆによって決まる。図３の例では、時刻ｔ４よりも前に、転流余裕時間が閾値時間Ｔｔｈを下回っている。そのため、サイリスタが転流失敗に陥ることが懸念される。
【００５３】
そこで、本実施の形態に係るサイリスタ起動装置１００では、同期機２０の回転速度が高くなる場合においても、インバータ２の転流余裕時間を確保することが可能なサイリスタ起動装置１００の制御構成を提供する。
【００５４】
なお、本願明細書では、本実施の形態に係るサイリスタ起動装置１００の制御構成を説明するにあたり、インバータ２および同期機２０の電圧および電流を図４のように定義する。図４に示すインバータ２および同期機２０の主回路構成図において、Ｉｄは直流リアクトル３に流れる電流を示し、Ｅｄはインバータ２の入力端子２ａ，２ｂ間の直流電圧（図１のＶＤＣ２に相当）を示す。Ｉｕはインバータ２が出力する三相交流電流のうちのＵ相電流を示し、Ｅｕはインバータ２が出力する三相交流電圧のうちのＵ相電圧を示す。Ｚは同期機２０の１相分のインピーダンスを示し、Ｅａは同期機２０内部で発生する誘起電圧を示す。なお、Ｚについては、説明の簡単のため、１相分のインピーダンス中の抵抗成分は十分小さいとして無視し、リアクタンスＸのみを有するものとする。
【００５５】
図５（Ａ）は、サイリスタ起動装置１００のＵ相電圧Ｅｕを基準に描いたベクトル図である。図５（Ａ）に示すように、インバータ２のＵ相電圧Ｅｕに対して、インバータ２のＵ相電流Ｉｕは位相角θだけ進んでいる。位相角θは力率角である。
【００５６】
運転中の同期機２０内部の誘起電圧Ｅａは、Ｕ相電圧Ｅｕに対して位相角δだけ遅れている。位相角δは負荷角である。Ｚ・Ｉｕは、リアクタンスＸとＵ相電流Ｉｕとの積Ｘ・Ｉｕの大きさを有しており、Ｉｕとπ／２の位相差をもつ。
【００５７】
同期機２０が設定制御進み角β０で運転されている場合、同期機２０の誘起電圧ＥａとＵ相電流Ｉｕとの位相はＩｕがβ０だけ進み固定されていると考えることができる。負荷運転時のＵ相電圧Ｅｕは次式（２）のようになる。
【００５８】
【数２】
0006933728.tif 000003
【００５９】
ただし、実際には、図２に示したように転流重なり角ｕによって電流波形は台形波的となり、位相的にはＩｕの位相がｕ／２だけ遅れることに相当する。
【００６０】
設定制御進み角β０から負荷角δを差し引いた位相角β０−δが実効制御進み角βとなる。実効制御進み角βからｕ／２を差し引いた位相角β−ｕ／２が力率角θとなる。
【００６１】
【数３】
0006933728.tif 000004
【００６２】
【数４】
0006933728.tif 000005
【００６３】
式（１）に示したように、実効制御進み角βから転流重なり角ｕを差し引いた位相角β−ｕが転流余裕角γとなる（γ＝β−ｕ）。上述したように、同期機２０の回転速度が上昇するに従って、転流余裕角γに対応する転流余裕時間が短くなるため、サイリスタが転流失敗を起こす可能性がある。
【００６４】
ここで、運転中の同期機２０の誘起電圧Ｅａは、Ｅａ＝ＫΦωで与えられる。ただし、Ｋは定数、Φは合成磁束、ωは角速度である。ＡＶＲ２２において界磁電流Ｉｆを増やすと、同期機２０に発生する界磁磁束が増加する。この界磁磁束の増加によってΦを大きくすることで、図５（Ｂ）に示すように、同期機２０の誘起電圧Ｅａを大きくすることができる。
【００６５】
図５（Ｂ）のベクトル図は、図５（Ａ）のベクトル図と同期機２０の回転速度が同じであるとする。図５（Ｂ）のベクトル図では、図５（Ａ）と対比して、設定制御進み角β０を同じ大きさとしている。さらに、相電流ＩｕおよびＺ・Ｉｕについても図５（Ａ）および図５（Ｂ）で同じ大きさとしている。
【００６６】
図５（Ｂ）では、Ｚ・Ｉｕの大きさを変えずに誘起電圧Ｅａを大きくしたことで、Ｕ相電圧Ｅｕも大きくなっている。一方、負荷角δは図５（Ａ）に比べて小さくなっている。設定制御進み角β０は互いに等しいため、結果的に図５（Ｂ）では図５（Ａ）に比べて実効制御進み角β（＝β０−δ）が大きくなる。
【００６７】
インバータ２において、転流重なり角ｕは次式（５）で与えられる。
【００６８】
【数５】
0006933728.tif 000006
【００６９】
式（５）によると、インバータ２が出力するＵ相電圧Ｅｕが大きくなるに従って転流重なり角ｕが小さくなる。そのため、図５（Ｂ）では図５（Ａ）に比べて、転流重なり角ｕが小さくなっている。
【００７０】
このように設定制御進み角β０を固定した状態で同期機２０の誘起電圧Ｅａを大きくすると、実効制御進み角βが大きくなるとともに、転流重なり角ｕが小さくなる。これによると、転流余裕角γを大きくすることができるため、同期機２０の高回転速度領域においても転流余裕時間を確保することができる。
【００７１】
しかしながら、その一方で、図５（Ｂ）では、実効制御進み角βの増加とともに力率角θが大きくなっている。力率角θの増加はサイリスタ起動装置１００の出力電力の低下を招いてしまう。具体的には、直流電圧Ｅｄは次式（６）で与えられる。
【００７２】
【数６】
0006933728.tif 000007
【００７３】
なお、式（６）は式（４）を用いて次式（７）のように書き換えることができる。
【００７４】
【数７】
0006933728.tif 000008
【００７５】
インバータ２の出力電力は、エネルギー保存の法則により、インバータ２の入力電力に等しいから、直流電圧Ｅｄおよび直流電流Ｉｄの積Ｅｄ×Ｉｄで表すことができる。式（７）によると、力率角θが大きくなるに従って直流電圧Ｅｄが小さくなるため、インバータ２の出力電力が低下することが懸念される。
【００７６】
そこで、本実施の形態では、図５（Ｃ）に示すように、同期機２０の誘起電圧Ｅａの増加とともに、転流余裕角γを確保できる範囲で設定制御角β０を減少させる構成とする。これにより、力率角θの増加による直流電圧Ｅｄの低下を抑制する。
【００７７】
図５（Ｃ）のベクトル図は、図５（Ａ）および（Ｂ）のベクトル図と同期機２０の回転速度が同じであるとする。図５（Ｃ）のベクトル図では、図５（Ｂ）に対して、同期機２０の誘起電圧Ｅａを同じ大きさとしている。また、インバータ２のＵ相電流ＩｕおよびＺ・Ｉｕも図５（Ｂ）と同じ大きさとしている。この状態で、設定制御進み角β０を図５（Ｂ）よりも小さくする。設定制御進み角β０を小さくしたことで実効制御進み角βを小さくすることができ、結果的に力率角θも小さくすることができる。
【００７８】
その反面、図５（Ｃ）に示すように、設定制御進み角β０を小さくすると、転流余裕角γも小さくなり、同期機２０の誘起電圧Ｅａを大きくしたことの意義がなくなることが懸念される。したがって、転流余裕角γがωｔｏｆｆ以上（ｔｏｆｆはサイリスタのターンオフ時間）となる範囲で設定制御進み角β０を調整する必要がある。
【００７９】
なお、式（６）によると、理想的には、Ｕ相電圧Ｅｕとｃｏｓβ（実効制御進み角βの余弦関数）との積を一定値に保つことができれば、直流電圧Ｅｄを一定値に保つことができる。したがって、γ≧ωｔｏｆｆであり、Ｅｕ×ｃｏｓβが一定となるように、同期機２０の回転速度に応じて設定制御角β０を調整することが好ましい。これによると、転流余裕時間を確保しながら、直流電圧Ｅｄの低下（すなわち、サイリスタ起動装置１００の出力電力の低下）を抑制することが可能となる。
【００８０】
図６は、本実施の形態に従うサイリスタ起動装置１００の動作を示すタイムチャートである。図６には、同期機２０の回転速度、同期機２０の端子電圧の実効値、界磁電流、設定制御進み角、および転流余裕時間が示されている。
【００８１】
図６に示す同期機２０の回転速度の波形は、図３の基本動作で示したものと同じである。図６では、図３で示した同期機２０の端子電圧の実効値、界磁電流、設定制御進み角および転流余裕時間の波形が破線で示されている。
【００８２】
図６のタイムチャートは、図３のタイムチャートと比較して、時刻ｔ３以降における端子電圧の実効値、界磁電流、設定制御進み角および転流余裕時間の波形が異なっている。具体的には、時刻ｔ３にてガスタービンＧＴが着火されると、同期機２０の加速が開始される。時刻ｔ５にて同期機２０の回転速度が予め設定された基準回転速度Ｎｃに達すると、ＡＶＲ２１は、同期機２０の界磁巻線２２に供給する界磁電流Ｉｆを制御することにより、同期機２０の誘起電圧Ｅａの実効値を増加させる。ただし、Ｎａ＜Ｎｃ＜Ｎｂである。
【００８３】
具体的には、ＡＶＲ２１は、同期機２０の回転速度の上昇に従って誘起電圧の実効値が増加するように、界磁電流Ｉｆを制御する。図６の例では、時刻ｔ５以降、界磁電流Ｉｆを一定値Ｉｆ１に維持している。これにより、時刻ｔ５以降、同期機２０の端子電圧の実効値はＶＣから徐々に増加する。
【００８４】
なお、基準回転速度Ｎｃは、同期機２０の端子電圧の実効値を一定値ＶＣに維持しながら、回転速度に応じて設定制御進み角β０をβａから増加させた場合において、転流余裕時間が閾値時間Ｔｔｈよりも大きくなるときの回転速度に設定される。
【００８５】
サイリスタ起動装置１００において、転流余裕時間は、時刻ｔ３以降、同期機２０の回転速度の上昇に従って短くなっている。ただし、時刻ｔ５以降は、同期機２０の回転速度の上昇に従って同期機２０の誘起電圧を増加させたことで、実効制御進み角βが大きくなり、転流余裕時間の減少が抑制されている。一方、図５（Ｂ）で示したように、設定制御進み角β０が一定の下では、実効制御進み角βとともに力率角θも大きくなるため、サイリスタ起動装置１００の出力電力が低下してしまうことが懸念される。
【００８６】
そこで、サイリスタ起動装置１００は、時刻ｔ５以降、転流余裕時間が閾値時間Ｔｔｈよりも長くなることを条件として、設定制御進み角β０の増加率Δβ０／ΔＮを減少させる。具体的には、インバータ制御部１０において、制御角演算部１１は、同期機２０の回転速度がＮａからＮｃまでの間における設定制御進み角β０の増加率Δβ０／ΔＮに比べて、回転速度がＮｃからＮｂまでの間における設定制御進み角β０の増加率Δβ０／ΔＮを小さくする。これによると、時刻ｔ５以降の設定制御進み角β０の波形に着目すると、図６（実線）では、図３（破線）と比較して、同じ回転速度に対する設定制御進み角β０が小さくなっている。
【００８７】
図６の例では、回転速度がＮｃからＮｂまでの間、設定制御進み角β０は、回転速度に応じて一定の増加率Δβ０／ΔＮで線形に増大している。図６の例に代えて、回転速度がＮｃからＮｂまでの間、回転速度に応じて、設定制御進み角β０の増加率Δβ０／ΔＮを複数回変化させる構成としてもよい。例えば、回転速度がＮｃからＮｂまでの間、回転速度に応じて、設定制御進み角β０の増加率Δβ０／ΔＮを段階的に小さくする構成としてもよい。
【００８８】
ただし、図５（Ｃ）で説明したように、同期機２０の端子電圧（相電圧Ｅｕ）およびｃｏｓβの積が一定値となるように、端子電圧に基づいて設定制御角β０を設定することで、同期機２０の回転速度に関わらず、インバータ２の入力端子２ａ，２ｂ間に現れる直流電圧（図１のＶＤＣ２に相当）を一定値に保つことができる。この結果、サイリスタ起動装置１００の出力電力の低下を抑制することができる。
【００８９】
なお、上述した同期機２０の誘起電圧の制御は、同期機２０の回転速度と最適な誘起電圧の実効値（界磁電流Ｉｆ）との関係を予め求めるとともに、その対応関係を予めマップまたは関係式としてＡＶＲ２１に記憶することが可能である。図７は、同期機２０の回転速度と界磁電流Ｉｆとの関係の一例を示す図である。図７の縦軸は界磁電流Ｉｆを示し、横軸は同期機２０の回転速度を示す。図７の例では、回転速度がＮａから基準回転速度Ｎｃの間、界磁電流Ｉｆは、回転速度に応じて減少する。回転速度が基準回転速度Ｎｃを超えると、界磁電流Ｉｆは一定値Ｉｆ１に維持される。
【００９０】
同様に、設定制御進み角β０の制御は、同期機２０の回転速度と最適な設定制御進み角β０との関係を予め求めるとともに、その対応関係を予めマップまたは関係式としてインバータ制御部１０に記憶することが可能である。図８は、同期機２０の回転速度と設定制御進み角β０との関係の一例を示す図である。なお、図中の破線は、比較のために、図３で示した同期機２０の回転速度と設定制御進み角β０との関係を示したものである。
【００９１】
図８の例では、回転速度がＮａから基準回転速度Ｎｃの間、設定制御進み角β０は、βａからβｃまで回転速度に応じて第１の増加率Δβ０／ΔＮで線形に増大する。回転速度が基準回転速度ＮｃからＮｂの間、設定制御進み角β０は、βｃからβｂまで回転速度に応じて第２の増加率Δβ０／ΔＮで線形に増大する。ただし、第２の増加率は第１の増加率よりも小さいものとする。
【００９２】
これによると、ＡＶＲ２１およびインバータ制御部１０は、同期機２０の回転速度が基準回転速度Ｎｃに達すると、同期機２０の回転速度に基づいて、上記マップまたは関係式を参照して、界磁電流Ｉｆおよび設定制御進み角β０をそれぞれ設定することができる。
【００９３】
以上説明したように、この発明の実施の形態に係るサイリスタ起動装置によれば、同期機の高回転速度領域では、同期機の回転速度の上昇に従って同期機の誘起電圧を増加させるとともに、低回転速度領域に比べてインバータにおける設定制御進み角の増加率を減少させることで、サイリスタ起動装置の出力電力の低下を抑制しながら、インバータにおけるサイリスタの転流余裕時間を確保することができる。
【００９４】
また、本実施の形態に係るサイリスタ起動装置によれば、上述した誘起電圧および設定制御進み角の調整を転流余裕時間が短くなる高回転速度領域でのみ行なうため、事故電流が大きく、サイリスタの過電流耐量が懸念される低回転速度領域には影響を及ぼすことがない。さらに、直流電圧Ｅｄを一定値に保つことができるため、コンバータ１に影響が及ぶことを回避できる。
【００９５】
なお、上述した実施の形態では、同期機２０が火力発電所におけるガスタービンによって回転駆動される発電機である場合について説明したが、これに限るものではなく、同期機２０は一般産業分野で使用される同期機であってもよい。
【００９６】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【符号の説明】
【００９７】
１  コンバータ、２  インバータ、３  直流リアクトル、４，５  変流器、６  電圧検出器、７  位置検出器、９  電流検出器、１０  インバータ制御部、１１，１６  制御角演算部、１２，１７  ゲートパルス発生器、１３  コンバータ制御部、１４  速度制御部、１５  電流制御部、２０  同期機、２１  ＡＶＲ、２２  界磁巻線、３０  交流電源、１００  サイリスタ起動装置、ＡＴＵ，ＡＴＶ，ＡＴＷ  電機子巻線、ＧＴ  ガスタービン、Ｕ，Ｖ，Ｗ，Ｘ，Ｙ，Ｚ  サイリスタ
【図１】
0006933728.tif 000009
【図２】
0006933728.tif 000010
【図３】
0006933728.tif 000011
【図４】
0006933728.tif 000012
【図５】
0006933728.tif 000013
【図６】
0006933728.tif 000014
【図７】
0006933728.tif 000015
【図８】
0006933728.tif 000016